(57)【特許請求の範囲】
【請求項１】
有端のあるチェーンの両端を無端状に連結する継手リンクの１対のピンに装着されるチェーンの継手リンク用のクリップにおいて、
継手リンクは、１対のピンが固着した第一のリンクプレートと、前記１対のピンが挿通する２つの孔を有する第二のリンクプレートとを備え、
前記クリップは、１枚の塑性変形が可能なプレートからなり、前記プレートの中央部と前記中央部を挟んで対向する位置に脚部とを備え、  
前記中央部は、クリップの装着及び取り外しを行う際に、塑性変形で屈曲するものであり、  
前記脚部は、先端部が二股に分かれた押え部と前記ピンに形成されたピン溝に係合し得るピン係合部を有し、前記有端のあるチェーンに連結して前記継手リンクの１対の前記ピンに装着するように構成されており、
前記ピン係合部の径が、前記ピンの直径より小さくかつ前記ピン溝の径と等しいか、又はそれよりも僅かに大きく設定されることを特徴とするチェーンの継手リンク用のクリップ。
【請求項２】
請求項１に記載のクリップにおいて、前記押え部は、前記ピン係合部側に少なくとも一つの鉤状の突出部が設けられており、前記ピン係合部が拡径して前記ピン溝に係合するように構成されてことを特徴とするチェーンの継手リンク用のクリップ。
【請求項３】
請求項１または２のいずれかに記載のクリップにおいて、前記中央部は、前記中央部を挟んで対向する位置の前記脚部と前記脚部とを結ぶ線に対して垂直な方向を折れ線として屈曲した形状を有しており、くの字状に曲げて形成されたことを特徴とするチェーンの継手リンク用のクリップ。
【請求項４】
請求項１から３のいずれかに記載のクリップにおいて、前記クリップを継手リンクの１対の前記ピンに装着したときの前記中央部は、前記ピンの軸方向断面が、第二のリンクプレートに接する対向面において、凹状になるように構成されおり、凹状のために接しない部分があることを特徴とするチェーンの継手リンク用のクリップ。  
【請求項５】
請求項１から４のいずれかに記載のクリップにおいて、前記ピン係合部の形状は、半円よりも大きい円弧状に形成されていることを特徴とするチェーンの継手リンク用のクリップ。
【発明の詳細な説明】
【技術分野】
【０００１】
本発明は、有端のあるチェーン（以後、チェーンとする）の連結を簡単な作業で連結することができるチェーンの継手リンク用のクリップに関するものである。
【背景技術】
【０００２】
チェーンを連続的に連結するときや、２本のチェーンを長手方向に連結するときは、継手リンクを使い、繋ぎたい二つのチェーンの端に、継手リンクのピンを、両チェーンのブッシュの中に挿入し、リンクプレートを付けて、リンクプレートの外側に、クリップを二つのピンに係合させることにより、リンクプレートと共に外れ止めされる、また、クリップは、平板状の部材であり、ピンに係合できる一端開放の切欠きが形成されており、ペンチなどの工具を使って、ピンの配列方向に進めさせることにより、双方のピンを切欠きの係合凹部に掛けて閉じ係合させることで、ピンに装着する技術であるが、チェーンにグリスなどの付着で滑り、継手リンクの脱着が容易でなく難しかった。
【０００３】
【特許文献１】特許５２９６２１４
【特許文献２】特開２０１５−５２３４０
【発明の概要】
【発明が解決しようとする課題】
【０００４】
しかしながら、従来技術は、クリップは、平板状であり、弾性力を利用してピンに係合にしているが、クリップに弾性力があるため、クリップをピンから外すとき、ピンからはずれにくく、ペンチなどの工具を使ったとき、グリスなどの付着で滑り、クリップの掛かりが難しく、チェーンの連結する作業が容易でなく難しいという課題があった。特に、スプロケットにチェーンを掛けて、チェーンを連続的に連結する場合、連結作業に手間がかかり、機械の故障修復に時間を要することがあるいう課題があった。
【課題を解決するための手段】
【０００５】
本発明は、チェーンを連続的に連結する場合、連結作業に手間がかかり、機械の故障修復に時間を要することがあるいう課題を解決するための弾性力を利用しないチェーンの継手リンク用のクリップであって、下記のことが考え出させされる。
【０００６】
請求項１に記載した発明は、有端のあるチェーンの両端を無端状に連結する継手リンクの１対のピンに装着されるチェーンの継手リンク用のクリップにおいて、継手リンクは、１対のピンが固着した第一のリンクプレートと、１対のピンが挿通する２つの孔を有する第二のリンクプレートとを備え、クリップは、１枚の塑性変形が可能なプレートからなり、プレートの中央部と中央部を挟んで対向する位置に脚部とを備え、中央部は、クリップの装着及び取り外しを行う際に、塑性変形で屈曲するものであり、脚部は、先端部が二股に分かれた押え部とピンに形成されたピン溝に係合し得るピン係合部を有し、有端のあるチェーンに連結して継手リンクの１対のピンに装着するように構成されており、ピン係合部の径が、ピンの直径より小さくかつピン溝の径と等しいか、又はそれよりも僅かに大きく設定されることを特徴とするチェーンの継手リンク用のクリップである。
【０００７】
クリップは、ピン係合部が、ピン溝に係合し外れないようにするために、クリップの一方の脚部の先端部と他方の脚部の先端部との長さが、１対のピンの中心とピンの中心との間の長さより長くする必要があるが、クリップがピンに係止できれば、１対のピンの中心とピンの中心との間の長さより短くてもよい。また、クリップを１対のピンとピンとの間に入れるために、中央部を屈曲変形させる必要がある。  
【０００８】
また、中央部を屈曲することで、クリップを１対のピンとピンとの間に入れて、リンクプレートに向かって押すことで、弾性力を利用せずに、ピン係合部がピン溝に係合することができる。
【０００９】
クリップは、例えば、ＳＫ−５などの材質をくの字状で熱処理した場合は、クリップを１対のピンとピンとの間に入れてピン溝に係合しても、弾性力があるために、クリップが衝撃ではねてピン溝から外れたり、また、平板状で熱処理した場合は、クリップをくの字状に屈曲するのに力がいり、１対のピンとピンとの間に入れてピン溝に係合しも、弾性力があるために、クリップが、ピン溝から外れにくいが、外すときに手間がかかり、クリップとしての使用が難しい。
クリップの材質としては、金属、プラスチックなどで、中央部が屈曲変形をすることが可能で、塑性変形できる材質であればよい。
【００１０】
中央部の横幅は、幅が広ければ中央部を屈曲変形するのに力がいるが、クリップの中央部として一方の脚部と他方の脚部とを維持することができる範囲の幅であればよい。  
【００１１】
中央部を挟んで対向する位置にあるそれぞれの脚部は、それぞれ、先端部が二股に分かれた押え部とピンに形成されたピン溝に係合し得るピン係合部とを有している。
【００１２】
請求項２に記載した発明は、請求項１に記載のクリップにおいて、前記押え部は、前記ピン係合部側に少なくとも一つの鉤状の突出部が設けられたことを特徴とするチェーンの継手リンク用のクリップである。
【００１３】
ピン係合部側に少なくとも一つの鉤状の突出部が設ける必要としては、ピン係合部が１対のピン溝に係合し外れにくくするために、ピン係合部側に少なくとも一つの鉤状の突出部が設けている。また、鉤状の突出部は、ピン係合部が拡径してピン溝に押し入れできる範囲の突出であり、鉤状の突出部がなくても、ピン溝に係合できれば問題はない。
【００１４】
さらに、ピン溝にピン係合部が係合しているクリップが、屈曲されているクリップをリンクプレートに向かって押さえつけることで、クリップの押え部が、ピンの中心点を超えて移動することで外れにくくなり、また、突出部が設けていることでも外れにくくなる。
【００１５】
請求項３に記載した発明は、  請求項１または２のいずれかに記載のクリップにおいて、中央部は、中央部を挟んで対向する位置の脚部と脚部とを結ぶ線に対して垂直な方向を折れ線として屈曲した形状を有しており、くの字状に曲げて形成されたことを特徴とするチェーンの継手リンク用のクリップである。
【００１６】
中央部は、中央部を挟んで対向する位置の脚部と脚部とを結ぶ線に対して垂直な方向を折れ線として屈曲した形状を有し、くの字状に曲げて形成することで、クリップを１対のピンとの間に入れ易くなる。また、クリップを１対のピンとピンとの間に入れるときのみ、中央部を屈曲させ、中央部を平坦な状態にする方法もあり、クリップを使用するときは、くの字状に曲げ、使用しないときは、１枚のプレートを平坦な形状にする場合もある。  
【００１７】
.
クリップは、１枚の塑性変形が可能なプレートをくの字状に屈曲変形させた場合は、曲がり面はＵ字状やV字状になるため、くの字状にＵ字状やV字状も含まれる。
【００１８】
請求項４に記載した発明は、請求項１から３のいずれかに記載のクリップにおいて、クリップを継手リンクの１対のピンに装着したときの中央部は、ピンの軸方向断面が、第二のリンクプレートに接する対向面において、凹状になるように構成されおり、凹状のために接しない部分があることを特徴とするチェーンの継手リンク用のクリップである。  
【００１９】
中央部の中央にピンの軸方向断面が、リンクプレートに接する対向面において、凹状になるように構成されおり、凹状のために接しない部分がある理由としては、凹状にすることで、凹状の部分にマイナスドライバーなどを差し込み、ひねることで、継手リンクからクリップを外し易くするためである。
【発明の効果】
【００２０】
本発明であるチェーンの継手リンク用のクリップを使用すれば、クリップを１対のピンとピンとの間に入れて、中央部の屈曲された部分をリンクプレートに向かって押すことで、ピン係合部が１対のピン溝に係合し、チェーンの継手リンク用のクリップとして、ピンに係合させて装着することができることで、グリスなどの付着で滑りや、クリップの掛かりが難しいなどの問題が解決でき、クリップを簡単に外すことができ、チェーンの連結作業を簡単に早くすることができるという効果がある。
【図面の簡単な説明】
【００２１】
【図１】本発明に係るチェーンの継手リンク部分を示す斜視図である。
【図２】本発明に係る継手リンク用のクリップを示す図である。  （ａ）はクリップの正面図、（ｂ）はクリップの平面図である。
【図３】本発明に係るクリップを継手リンクに装着する状態を実施例１で示す図である。              （ｃ）はクリップをピンに装着する前の図、（ｄ）はクリップをピンに装着した後の図である。
【図４】本発明に係るクリップをピンから外す状態を実施例２で示す図である。              （ｅ）はクリップをピンから外す前の図、（ｆ）はクリップをピンから外した後の図である。
【図５】本発明に係るクリップのピンの軸方向断面が、凹状になるクリップを示す図である。              （ｇ）は中央部が凹状になるクリップがピンに装着する前のクリップの正面図、        （ｈ）は中央部が凹状になるクリップがピンに装着する前のクリップの平面図、        （ｉ）は中央部が凹状になるクリップがピンに装着した後のクリップの平面図である。
【発明を実施するための最良の形態】
【００２２】
本発明であるチェーンの継手リンク用のクリップを図面について説明する。
図１は、本発明に係るチェーンの継手リンク部分を示す斜視図である。
チェーン１０の両端を無端状に連結する継手リンク１の１対のピン１１に装着されるクリップ２であり、１枚の塑性変形が可能なプレートからなる。
【００２３】
継手リンク１は、一枚の両端部分にピン１１が固着されたリンクプレートＢ１４と一枚のリンクプレートＡ１３とからなり、クリップ２をピン溝１２に係合することでチェーン１０が無端状に連結される。
【００２４】
チェーン１０の両端を無端状に連結する場合は、連結するチェーン１０の両端のブシュ１６の中に継手リンク１の１対のピン１１を通し、リンクプレートＡ１３を１対のピン１１に入れ、クリップ２を１対のピン１１のピン溝１２に装着することでチェーン１０が連結するようになっており、ピン係合部２５の径が、ピン１１の直径より小さくかつピン溝１２の径と等しいか、又はそれよりも僅かに大きく設定されたクリップである。    
【００２５】
図２は、本発明に係る継手リンク用のクリップを示す図であり、（ａ）はクリップの正面
図、（ｂ）はクリップの平面図である。
クリップ２は、１枚の塑性変形が可能なプレートからなり、中央部２１と中央部２１を挟んで対向する位置に脚部２２とを備え、中央部２１は、それぞれの脚部２２と脚部２２とを結ぶ線に対して垂直な方向を折れ線として、屈曲可能な屈曲２７を備えている。クリップ２は、加工状態によっては、中央部２１をくの字状に曲げて形成された形状や、平坦な形状にする場合がある。
【００２６】
脚部２２は、先端部が二股に分かれた押え部２４とピン１１に形成されたピン溝１２に係合し得るピン係合部２５を有し、１対のピン１１のピン溝１２に係合するように構成されており、ピン係合部２５の径が、ピン１１の直径より小さくかつピン溝１２の径と等しいか、又はそれよりも僅かに大きく設定されている。また、ピン係合部の形状は、半円よりも大きい円弧状に形成されている。  
【００２７】
押え部２４は、ピン係合部２５側に少なくとも一つの鉤状の突出部２３が設けられており、ピン溝１２に係合しているピン係合部２５が、ピン溝１２から外れないようにするためのものであり、鉤状の突出部２３は、ピン係合部２５が、拡径してピン溝１２に押し入れすることでピン溝１２に係合できる可能な範囲の突出である。
【実施例１】
【００２８】
図３は、本発明に係るクリップを継手リンクに装着する状態を示す図であり、（ｃ）はクリップをピンに装着する前の図、（ｄ）はクリップをピンに装着した後の図である。
チェーン１０の両端を無端状に継手リンク１で連結するために、クリップ２を使い、クリップ２を継手リンク１に装着する操作で、繋ぎたいチェーン１０に、一枚のリンクプレートＢ１４の両端部分にピン１１が固着された１対のピン１１を通し、ピン１１を通した後、リンクプレートＡ１３を１対のピン１１に入れて、１対のピン１１とピン１１との間に、クリップ２を入れて、ハンマーやドライバーなどの道具で、クリップ２を、取り付けたリンクプレートＡ１３に対し、矢印Ａの方向に押し付けることで、クリップ２のピン係合部２５が、ピン溝１２を通り、ピン溝１２に係合する、それにより、継手リンク１を使いクリップ２で固定することで、チェーン１０を連結することができる。
【００２９】
ローラ１５は、スプロケットを受けるためのローラ１５である。  
【実施例２】
【００３０】
図４は、本発明に係るクリップをピンから外す状態を示す斜視図であり、（ｅ）はクリップをピンから外す前の図、（ｆ）はクリップをピンから外した後の図である。
チェーン１０の両端を無端状に連結された継手リンク１から外すために、クリップ２を継手リンク１から外す操作で、繋いでいるチェーン１０の継手リンク１のリンクプレートＡ１３に対し押し付けて継手リンク１に固定されているクリップ２とリンクプレートＡ１３との間に、マイナスドライバーやアイスピックなどの先の尖った道具を差し込み、矢印Ｂの方向にクリップ２を持ち上げ起こすことで、クリップ２のピン係合部２５が、係合しているピン溝１２から外れ、さらに、リンクプレートＡ１３をピン１１から外し、繋いでいるチェーン１０から、ピン１１が固着されたリンクプレートＢ１４を取り外すことで、チェーン１０から継手リンク１を取り外すことができる。  
【００３１】
ローラ１５は、スプロケットを受けるためのローラ１５である。
【００３２】
図５は、本発明に係るクリップのピンの軸方向断面が、凹状になるクリップを示す図であり、(ｇ）は中央部が凹状になるクリップがピンに装着する前のクリップの正面図、（ｈ）は中央部が凹状になるクリップがピンに装着する前のクリップの平面図、（ｉ）は中央部が凹状になるクリップがピンに装着した後のクリップの平面図である。
クリップ２は、１枚の塑性変形が可能なプレートからなり、中央部２１と中央部２１を挟んで対向する位置に脚部２２とを備え、クリップ２を継手リンク１の１対のピン１１に装着したときの中央部２１は、ピン１１の軸方向断面が、リンクプレートＡ１３に接する対向面において、凹状２６になるように形成されていて、クリップ２を１対のピン１１に装着するときは、クリップ２は、中央部２１をくの字状に曲げた形状であり、クリップ２の厚さは、わかるように多少厚く表現している。
【００３３】
脚部２２は、先端部が二股に分かれた押え部２４とピン１１に形成されたピン溝１２に係合し得るピン係合部２５を有し、１対のピン１１のピン溝１２に係合するように構成されており、ピン係合部２５の径が、ピン１１の直径より小さくかつピン溝１２の径と等しいか又はそれよりも僅かに大きく設定されている。  
【００３４】
押え部２４は、ピン係合部２５側に少なくとも一つの鉤状の突出部２３が設けられており、ピン溝１２に係合しているピン係合部２５が、ピン溝１２から外れないようにするためのものであり、鉤状の突出部は、ピン係合部２５が、拡径してピン溝１２に押し入れすることで、ピン溝１２に係合する範囲の突出である。
【００３５】
チェーン１０に装着したときの中央部２１の中央に、ピン１１の軸方向断面が、凹状２６になるように構成されているのは、凹状２６の部分にマイナスドライバーなどを差し込み、ひねることで、継手リンク１のリンクプレートＡ１３からクリップ２を外し易くするためである。また、押え部２４の厚さは、中央部２１の厚さよりも大きくなるように形成されている。
【符号の説明】
【００３６】
１            継手リンク
１０          チェーン
１１          ピン
１２          ピン溝
１３          リンクプレートＡ
１４          リンクプレートＢ
１５          ローラ
１６          ブシュ
２            クリップ
２１          中央部
２２          脚部
２３          突出部       
２４          押え部        
２５          ピン係合部
２６          凹状
２７          屈曲
【要約】
【課題】従来技術は、クリップは、ペンチなどの工具を使ったとき、グリスなどの付着で滑り、クリップの掛かりが難しく、チェーンの連結する作業が容易でないという課題があった。
【解決手段】クリップは、１枚の塑性変形が可能なプレートからなり、プレートの中央部と中央部を挟んで対向する位置に脚部とを備え、中央部は、屈曲変形することが可能であり、脚部は、先端部が二股に分かれた押え部とピンに形成されたピン溝に係合し得るピン係合部を有し、チェーンに連結して継手リンクの１対のピンに装着するように構成され、ピン係合部の径が、ピンの直径より小さくかつピン溝の径と等しいか、又はそれよりも僅かに大きく設定されたクリップである。  
【選択図】図１【図１】
0006055146.tif 000002
【図２】
0006055146.tif 000003
【図３】
0006055146.tif 000004
【図４】
0006055146.tif 000005
【図５】
0006055146.tif 000006